(57)【特許請求の範囲】
【請求項１】
溶融金属用容器の流れ口用スライド蓋に用いる閉じ板であって、細長い耐火板（１１）と該耐火板の周囲を覆う薄板金属覆い（１２）とを含み、前記耐火板（１１）は、スライド面（１４、１５）により、この種の又は他の耐火閉じ板、又は耐火ヘッド部のスライド面（２１'）を支持可能であり、
前記耐火板（１１）は、前記スライド面（１４，１５）の少なくとも一つの側（１６、１７、１８、１９）に前記スライド面（１４，１５）に対して角度（α）を形成するテーパ部（２６、２８、２９）を有し、該テーパ部の面は、前記耐火板の前記薄板金属覆い（１２）より突き出た部分に設けられ、
前記テーパ部（２８、２９）が、前記耐火板（１１）の縦軸（Ｌ）に平行に伸びる、前記耐火板（１１）の置き換え移動時に前側になる、少なくとも一方の縦方向側（１８，１９）に設けられている、
ていることを特徴とする閉じ板。
【請求項２】
請求項１の閉じ板であって、前記テーパ部（２６、２８、２９）の角度（α）が１０度から１５度の間であることを特徴とする閉じ板。
【請求項３】
請求項１又は２のいずれかの閉じ板であって、前記テーパ部（２６）が、前記耐火板（１１）の縦軸（Ｌ）に対して直角方向であり、前記耐火板（１１）を取り付けたハウジング枠（３０）が回転する軸Ａの近傍に設けられた狭幅の側（１６）にも設けられていることを特徴とする閉じ板。
【請求項４】
請求項１から３までのいずれかの閉じ板であって、前記テーパ部（２８、２９）が、前記耐火板（１１）の縦軸（Ｌ）に平行に伸びる両方の縦方向側（１８，１９）にも設けられていることを特徴とする閉じ板。
【請求項５】
溶融金属容器の流れ口用スライド蓋であって、請求項１から４までのいずれかの閉じ板（１０）を含み、前記閉じ板（１０）は、ハウジング枠（３０）内に固定基板として収納され、該ハウジング枠は、前記容器に固定した基板（３２）に取付可能であり、該ハウジング枠内には、スライド板（２０）を有するスライドユニット（３１）が移動可能に配置され、スライド板の縦軸（Ｌ）は前記スライドユニット（３１）の移動方向に延びており、テーパ部（２６、２８、２９）を有する前記閉じ板（１０）は、そのスライド面（１５）が前記基板（３２）に挿入された耐火流れ口ヘッド部（２１）のスライド面（２１'）を支持可能であることを特徴とするスライド蓋。
【請求項６】
請求項５におけるスライド蓋であって、前記容器に取付けた基板（３２）に前記ハウジング枠（３０）を回転して位置決めする懸架手段、及び該ハウジング枠の取り外し可能に取付ける固定手段が設けられ、
前記懸架手段の回転軸（Ａ）が前記スライドユニット（３１）の移動方向に直角に延び、該回転軸（Ａ）の近傍に置かれた耐火板（１１）の狭幅の側（１６）にも、前記テーパ部分（２６）が設けられていることを特徴とするスライド蓋。
【請求項７】
請求項５又は６のいずれかのスライド蓋であって、前記ハウジング枠（３０）内にケース（４０）が移動可能に設けられ、該ケースは１つの閉じ板（１０ａ）に加え、少なくとももう１つの同一に形成された閉じ板（１０ｂ）を含み、
前記ケース（４０）の移動によって、前記一方の閉じ板（１０ｂ）が作動位置に位置するように移動させ、前記閉じ板（１０ａ）を置き換え可能とする特徴とするスライド蓋。
【請求項８】
請求項７のスライド蓋であって、前記ケース（４０）の移動方向は、前記スライドユニット（３１）の移動方向と直交していることを特徴とするスライド蓋。
【請求項９】
請求項８のスライド蓋であって、前記閉じ板（１０ａ、１０ｂ）の全ての耐火板は、テーパ部分（２８、２９）を有し、前記ケース（４０）の移動に関連して前側になる縦方向側（１８、１９）にも沿って少なくとも設けられることを特徴とするスライド蓋。
【請求項１０】
請求項７から９までのいずれかのスライド蓋であって、前記ケースは、その初期位置とその最終位置との間を往復移動可能であり、それぞれ前記閉じ板（１１）の縦方向の両側（１８、１９）にも前記テーパ部分（２８、２９）が設けられていることを特徴とするスライド蓋。
【請求項１１】
前記溶融金属容器が転炉である請求項１から４までのいずれか１項に記載の閉じ板。
【請求項１２】
前記溶融金属容器が転炉である請求項５から１０までのいずれか１項に記載のスライド蓋。
【発明の詳細な説明】
【技術分野】
【０００１】
本発明は、請求項１の前文に記載された溶融金属用容器、特に転炉の流れ口用スライド蓋の閉じ板、及び請求項５に記載されたスライド蓋に関する。
【背景技術】
【０００２】
溶融金属用容器における流れ口のスライド蓋は、広範な態様により知られている。特に転炉の流れ口孔を開閉するスライド蓋は、例えば欧州特許第０，８１９，４８８号に記載されている。このスライド蓋はハウジング枠を含み、該ハウジング枠内には、耐火性固定閉じ板（基板とも呼ばれる）と、該閉じ板に対して移動可能なスライドユニットに保持された耐火スライド板とが配置される。該スライド板は、その上側スライド面を、該基板の下側スライド面に対して密着させて押し付けることができる。ハウジング枠は、容器に取付けた基板に対して取外し可能に取付けられており、基板は、該基板に挿入された耐火流れ口ヘッド部をその上側スライド面によって支える。鋳造工程では、この耐火性部品は高度な磨滅に曝される。従って、これらの部品は、かなりの頻度で交換が必要になる。このために交換の都度、ハウジング枠を、基板から取り外さなければならなかった。
【０００３】
経験から分かるように、転炉の流れ口にスライド蓋を使用した場合、特に基板の消耗が非常に早いために、少なくとも２つの基板を有するケースをハウジング枠内で可動的に配置し、該ハウジング枠を基板から取り外すことなく、摩耗した基板を、移動手段によってその作動位置から取外し、他の基板に置き換えることが、先出願のスイス国特許出願第２００８年００６０３号により知られている。この方法によって、他の耐火部品が交換される時まで、より長く鋳造作業の維持が可能になる。
【０００４】
更に、スライド蓋用の閉じ板は、薄板金属被覆により周囲を囲まれた、それぞれ長い耐火板でかつ複数の部品から構成されることが知られている。
【先行技術文献】
【特許文献】
【０００５】
【特許文献１】欧州特許第０，８１９，４８８号明細書
【特許文献２】スイス国特許出願第２００８年００６０３号明細書
【発明の概要】
【発明が解決しようとする課題】
【０００６】
本発明の基本を構成する目的は、溶融金属用容器、特に転炉の流れ口用スライド蓋に用いる閉じ板を提供し、該閉じ板が、他の閉じ板又は耐火流れ口ヘッド部を特に穏やかに支持可能とすることである。更に、特に転炉に適したスライド蓋を、より改良されたものとすることである。
【課題を解決するための手段】
【０００７】
本発明によれば、この目的は請求項１の特徴を有する閉じ板により達成され、また請求項５の特徴を有する閉じ蓋により達成される。
【０００８】
更に、本発明による閉じ板の好ましい実施形態は、従属請求項の主題を形成する。
【０００９】
本発明の閉じ板により、相互に支持関係にされる耐火部品が、支持関係の開始時に、及び／又は耐火部品の相対的な移動の間に、それら耐火部品の前面に損傷を受けるようになるリスクを大幅に軽減することができる。
【図面の簡単な説明】
【００１０】
以下に本発明が図面を参照して詳細に説明される。図面は以下の通りである。
【図１】本発明による閉じ板の実施形態の縦方向断面図である。
【図２】図１の閉じ板の平面図である。
【図３】図２を線ＩＩＩ−ＩＩＩに沿って切断した断面図である。
【図４】図３のＸ部詳細の拡大図である。
【図５】転炉の流れ口に回転させた閉じ蓋の実施形態の縦方向断面図である。
【図６】図５の閉じ蓋の横方向断面図で、ケースが初期位置にあり、かつ２つの基板を含む状態を示す。
【図７】図５の閉じ蓋の横方向断面図で、ケースが最終位置にある状態を示す。
【発明を実施するための形態】
【００１１】
図１から図４まで、溶融金属用容器の流れ口スライド蓋に用いられる閉じ板１０が示される。この板は、例えば転炉用のスライド蓋１の基板とも呼ばれ、図５から図７に詳細が示され、以下に詳述される。閉じ板１０は細長い形状で、好ましくは八角形の外側の輪郭を有する。該閉じ板は、複数部品から成る耐火板１１、及びその周囲を覆う薄板金属覆い１２を有する。流れ口孔１３を有する該耐火板１１は、下側スライド面１４と上側スライド面１５とを有する。該耐火板１１は、一方では、閉じ蓋１のスライド面と下側スライド面１４とが、他方では、容器の耐火流れ口ヘッド部２１の下側スライド面２１'と上側スライド面１５とが支持関係になる。
【００１２】
本発明では、耐火板１１は、薄板金属覆い１２より突出した部分にテーパ部分２６を有し、該テーパ部分２６は、少なくともスライド面１５の範囲を、狭幅の側１６、１７の一方に沿って定めて、スライド面１５と角度αを形成し、その角度αは、好ましくは１０〜１５度の範囲である。更に、テーパ部分２６と同様に耐火板１１は、スライド面１４にそれぞれテーパ部分２９、２９が設けられ、そのテーパ部分は、縦軸Ｌに平行な２つの縦方向の側１８、１９に設けられる。
【００１３】
既に説明したように、本発明による閉じ板１０は、静止した基板として図５に示すスライド蓋１のハウジング枠３０内に収められ、該ハウジング枠３０には、スライド板２０を含むスライドユニット３１が移動可能に配置され、該閉じ板１０の縦軸Ｌはスライド蓋１の移動方向に伸びる。ハウジング枠３０は、容器に取付けた基板３２に取外し可能に取り付けられる。好ましくは、ハウジング枠３０を容器に固定した基板３２に回転させて位置決めするための懸架手段が備えられ、スライドユニット３１の移動方向に直角に延びる回転軸Ａを備える。
【００１４】
図５では特に、内部に耐火部品が取付けられたハウジング枠３０が、軸Ａ回りに回転され、続いて固定手段（図示せず）により基板に取付られ、耐火部品がハウジング枠３０に備えられたばね要素により支えられる態様を示す。
【００１５】
本発明によれば、回転軸Ａの近傍に置かれた耐火板１１の狭幅側１６のテーパ部分２６と、容器に取付けられた基板３２に嵌合させた耐火流れ口ヘッド部の下側スライド面２１'を含む基板との接触によって、通常はセラミック材料から製造されるこれら耐火部品の損傷が大幅に回避される。追加の安全策として、ばね要素は、最初にごく僅かの接触力によって耐火板１１のテーパ部分２６がヘッド部に当たり、その後ヘッド部２１に二次元的に接触する耐火板１１に全ばね力が作用するようなばね特性曲線に設計される。
【００１６】
図６、図７に示すスライド蓋１では、ハウジング枠３０は、スライドユニット２０の移動方向と直交方向に移動可能なケース４０を有し、この中に基板として機能する少なくとも２つの閉じ板１０ａ、１０ｂを含んでおり、図６の作動位置からケース４０を移動させ、１つの閉じ板１０ａを取去り、ハウジング枠３０を取り外すことなく、閉じ板を他の閉じ板１０ｂ（図７）に置き換えが可能である。この形式のスライド蓋の精密な設計及び作動態様は、前記先出願のスイス国特許出願第２００８年６０３号から知ることができるので詳述は省略する。
【００１７】
本発明では、全部の閉じ板１０ａ、１０ｂである耐火板１１に、少なくともテーパ部分２８、２９が、縦方向の側１８、１９に沿ってケースの移動に関して前側に設けられ、全接触力で互いに支持された耐火部品を相互に置き換える際に、スライド面の損傷を避ける。これら端部が突当たる危険性は、許容寸法により生じる耐火板とヘッド部２１の厚み変化から主に生じる。耐火板１１の両縦側面１８、１９には、テーパ部２８、２９が備えられることが好ましく、これは、ケース４０が往復移動をする場合、この切替作業を容易にするために、特に好ましい。
【００１８】
固定基板として機能する閉じ板１０は、スライド板２０と関連するスライド面１４の狭幅の両側１６、１７にテーパ部を設けることもでき、又はスライド板２０自体に、このようなテーパ部を設けてもよい。
【００１９】
この種のスライド板はまた、それ自体知られるばねの作用する、スライド面とは反対側において、その右側にばねを設けることもでき、したがって、本発明の範囲内で、スライド面にのみ、例えば、スライド面の一方の狭幅の側にのみテーパ部を設けて、二次元接触によってスライドユニットを回転させるようにし、このテーパ部により、スライド板は基板と面接触をしないようにすることができる。
【００２０】
本発明は、記載された実施形態により十分に説明されている。しかし、追加の実施形態によって実施することも可能である。それ故、耐火板１１の周囲を覆う薄板金属覆い１２は、打抜の薄板金属、縁取り材料とすることもでき、又はカセット枠などでもよい。
【００２１】
両外側が基板の縦軸Ｌに対して角度をなすように延びるプラットフォームを設けるか、又はこれら両外側に丸みをつける場合には、該耐火板上の本発明のテーパ部は、これらの全長にわたって設ける必要がなくなり、一部分に設けるだけでよくなる。
【符号の説明】
【００２２】
１１  耐火板；  １２  薄板金属覆い；  １４  下側スライド面；  
１５  上側スライド面；  ２１  耐火流れ口ヘッド部；  ２６  テーパ部分。
【図１】
0005426658.tif 000002
【図２】
0005426658.tif 000003
【図３】
0005426658.tif 000004
【図４】
0005426658.tif 000005
【図５】
0005426658.tif 000006
【図６】
0005426658.tif 000007
【図７】
0005426658.tif 000008